(57)【要約】【課題】配管接続用コネクタを分割された２つの分割部材を用いて構成する場合に、配管の端部近傍に直線部分を大きく確保する必要がなく、狭い取り付けスペースでも容易に取り付け可能とする。【解決手段】一方の分割部材４に、配管２，３の端部近傍に側方からあてがう配管保持部４２ａ，４２ｂと、他方の分割部材５に対して位置決めする突部４４と、他方の分割部材５に設けられる突部５４を受容する受容部４５と、ねじ穴４６とを設ける。他方の分割部材５に、配管２，３の端部近傍に一方の分割部材４と反対側からあてがう配管保持部５２ａ，５２ｂと、一方の分割部材４に対して位置決めする突部５４と、一方の分割部材４に設けられる突部４４を受容する受容部５５と、一方のねじ穴４６と整合するねじ穴５６とを設ける。配管２，３の端部近傍を２つの分割部材４，５で挟み込み、ねじ止めする。【選択図】　　　　図８
2004138279.tif 000002
【特許請求の範囲】
【請求項１】
配管の端部近傍に係合されて２つの分割部材で構成される配管接続用コネクタにおいて、
一方の分割部材に、前記配管の端部近傍を側方から保持する配管保持部と、他方の分割部材に対して位置決めを可能にする突部と、前記他方の分割部材に設けられる下記する突部を受容する受容部と、前記配管の軸方向と異なる方向からネジを装着可能とするねじ穴とを設け、
他方の分割部材に、前記配管の端部近傍を前記一方の分割部材とは異なる側方から保持する配管保持部と、前記一方の分割部材に対して位置決めを可能にする突部と、前記一方の分割部材に設けられる前記突部を受容する受容部と、前記配管の軸方向と異なる方向からネジを装着可能とし、前記一方の分割部材のねじ穴と整合した位置に形成されるねじ穴とを設け、
前記配管の端部近傍を前記２つの分割部材で挟み込むと共に、それぞれの前記突部を相手側の分割部材の前記受容部にて受容し、それぞれの分割部材のねじ穴に一方から他方にかけてネジを挿着して前記分割部材の組み付け状態を保持するようにしたことを特徴とする配管接続用コネクタ。
【請求項２】
それぞれの前記分割部材は、対をなす配管の端部近傍を係合する２つの配管保持部を有し、この２つの配管保持部間に、前記突部、前記受容部、前記ねじ穴が設けられていることを特徴とする請求項１記載の配管接続用コネクタ。
【請求項３】
それぞれの前記分割部材の突部には、分割部材同士を組付けた状態で配管の軸方向に沿って整合をなす孔が形成され、これらの孔には前記配管と接続する相手側配管を取り付けるための接続用部材を固定する固定用ボルトが取り付けられることを特徴とする請求項２記載の配管接続用コネクタ。
【請求項４】
前記配管は雌側配管であり、この配管は、バルジ部と、このバルジ部に続いて形成された拡管部と、この拡管部から軸方向に離して設けられたフランジ部とを有して構成され、前記分割部材は、前記配管保持部に続いて内側へ隆起する隆起部が形成され、前記配管保持部は前記拡管部を覆う形状に形成され、前記隆起部は前記拡管部と前記フランジ部との間に係合されるものであることを特徴とする請求項１記載の配管接続用コネクタ。
【請求項５】
前記２つの分割部材は、ダイカストにて成形されるものであることを特徴とする請求項１記載の配管接続用コネクタ。
【発明の詳細な説明】
【０００１】
【発明の属する技術分野】
この発明は、車両用空調装置などに用いる配管を接続するために用いられる配管接続用コネクタに関する。
【０００２】
【従来の技術】
車両用空調装置の冷凍サイクルにおいて用いられる冷媒配管を接続するための配管接続用コネクタとしては、例えば、特許文献１に示されるものが知られている。これは、配管接続用コネクタを貫通孔のほぼ中心線を通る分割面で２つに分割された分割部材（分割フランジ）によって構成し、一方の分割部材に貫通孔の軸方向に沿ってほぼ平行なガイド溝を設け、また、他方の分割部材に貫通孔の軸方向に沿って前記ガイド溝を摺動可能とする嵌合部を設け、一方の分割部材のガイド溝の一端側に他方の分割部材の嵌合部を挿入すると共に、分割部材同士を軸方向にスライドさせて嵌合部とガイド溝とを嵌合するようにしたものである。
【０００３】
【特許文献１】
特許第３１６８５８９号公報（０００６欄、００１１欄〜００１６欄、図１，図２，図３，図５）
【０００４】
【発明が解決しようとする課題】
しかしながら、上述の構成においては、配管接続用コネクタを配管に取り付ける場合に、並設された配管に一方の分割部材をあてがい、他方の分割部材を配管の軸方向のずれた位置から配管に沿って移動させ、ガイド溝の一端側に他方の分割部材の嵌合部を挿入し、分割部材同士を軸方向にスライドさせて取り付けるようにしているので、配管の端部近傍が曲げられずに真っ直ぐ延びる場合は特に問題はないが、端部近傍が曲がっている場合には、分割部材同士をスライドさせて装着させることが困難になる不都合がある。また、分割部材を軸方向に移動させて装着させなければならないので、配管接続用コネクタを配管に後付けするような場合には、分割部材を配管の軸方向に移動させるための十分なスペースを確保しなければならず、狭い取付け箇所には適していない。
【０００５】
そこで、この発明においては、配管接続用コネクタを分割された２つの分割部材を用いて構成する場合において、配管の端部近傍に直線部分を大きく確保する必要がなく、狭い取り付けスペースでも容易に取り付けることが可能な配管接続用コネクタを提供することを主たる課題としている。
【０００６】
【課題を解決するための手段】
上記課題を達成するために、この発明に係る配管接続用コネクタは、配管の端部近傍に係合されて２つの分割部材で構成され、一方の分割部材に、前記配管の端部近傍を側方から保持する配管保持部と、他方の分割部材に対して位置決めを可能にする突部と、前記他方の分割部材に設けられる下記する突部を受容する受容部と、前記配管の軸方向と異なる方向からネジを装着可能とするねじ穴とを設け、他方の分割部材に、前記配管の端部近傍を前記一方の分割部材とは異なる側方から保持する配管保持部と、前記一方の分割部材に対して位置決めを可能とする突部と、前記一方の分割部材に設けられる前記突部を受容する受容部と、前記配管の軸方向と異なる方向からネジを装着可能とし、前記一方の分割部材のねじ穴と整合した位置に形成されるねじ穴とを設け、前記配管の端部近傍を前記２つの分割部材で挟み込むと共に、それぞれの前記突部を相手側の分割部材の前記受容部にて受容し、それぞれの分割部材のねじ穴に一方から他方にかけてネジを挿着して前記分割部材の組み付け状態を保持するようにしたことを特徴としている（請求項１）。
【０００７】
したがって、配管の端部近傍の直線部分が短い場合であっても、配管の端部近傍を２つの分割部材で側方から挟み込み、それぞれのねじ穴に一方から他方にかけてネジを挿着すれば、２つの分割部材の組付け状態が保持されるので、接続用コネクタを配管の端部近傍に取り付けることができる。
【０００８】
ここで、それぞれの分割部材は、対をなす配管の端部近傍を係合する２つの配管保持部を有し、この２つの配管保持部間に、前記突部、前記受容部、前記ねじ穴を設けるものであってもよい（請求項２）。このような構成によれば、配管保持部間に分割部材の位置決め部分やネジの取り付け部分が形成されるので、２つの配管を保持するための位置決め個所や固定個所を減らすことが可能となり、配管接続用コネクタの小型化を図ることが可能となる。
【０００９】
特に、このような構成においては、それぞれの分割部材の突部に、分割部材同士を組付けた状態で配管の軸方向に沿って整合をなす孔を形成し、これらの孔に配管と接続する相手側配管を取り付けるための接続用部材を固定するための固定用ボルトを取り付けるようにするとよい（請求項３）。このような構成によれば、配管を挟み込むように組み付けられた両分割部材を配管の軸方向にも固定することが可能となる。また、相手側配管との接続に用いる接続用部材を配管保持部間に設けられた突部に固定用ボルトで結合することが可能となるので、配管の接続状態を均等にすることが可能となる。
【００１０】
さらに、配管を雌側配管とし、この配管を、バルジ部と、このバルジ部に続いて形成された拡管部と、この拡管部から軸方向に離して設けられたフランジ部とを有して構成し、前記分割部材に配管保持部に続いて内側へ隆起する隆起部を形成し、配管保持部を拡管部を覆う形状に形成すると共に、隆起部を拡管部とフランジ部との間に係合させるようにするとよい（請求項４）。このような構成とすれば、分割部材を配管の端部近傍に径方向から取り付けた場合に、分割部材が軸方向にずれることを防ぐことが可能となる。
【００１１】
以上の分割部材は、ダイカストによって成形されることが好ましい（請求項５）。このような分割部材によれば、配管とのろう付けを廃止することができるばかりでなく、切削加工を削減することが可能となる。
【００１２】
【発明の実施の形態】
以下、この発明の実施の形態を図面に基づき説明する。
図１において、例えば、車両に搭載される空調装置のアルミニウム製の配管を接続するために用いられる配管接続用コネクタ１が示され、この配管接続用コネクタ１は、この例において対をなす雌側の配管２，３の端部近傍に取り付けられている。
【００１３】
それぞれの配管２，３は、径の大きさに違いはあるものの、図２（ｂ）にも示されるように、開口端周縁に径方向外側に延設されたバルジ部２ａ，３ａが形成され、このバルジ部２ａ，３ａに続いて径を拡大して形成された拡管部２ｂ，３ｂと、この拡管部２ｂ，３ｂから軸方向に離して設けられたフランジ部２ｃ，３ｃとを有して構成されている。
【００１４】
配管接続用コネクタ１は、配管の端部近傍に取り付けられるもので、図２（ａ）にも示されるように、配管を通すための対をなす貫通孔１ａ，１ｂを有し、これらの貫通孔１ａ，１ｂのほぼ中心線を通る分割面で２つに分割された分割部材４，５で構成されている。それぞれの分割部材４，５は、アルミニウム合金などの金属材料を用いてダイカスト成形されているもので、一方の分割部材４と他方の分割部材５とは非対称な形状に形成されている。
【００１５】
一方の分割部材４は、図３及び図４にも示されるように、分割面に断面半円状の対をなす凹溝４ａ，４ｂを略平行に形成し、それぞれの凹溝４ａ，４ｂの略中央部に内側へ突出する隆起部４１ａ，４１ｂが周方向に連続的に形成されている。この隆起部４１ａ，４１ｂを境にそれぞれの凹溝４ａ，４ｂの一方側によって各々の配管２，３の端部近傍を側方から保持する配管保持部４２ａ，４２ｂが構成されている。この配管保持部４２ａ，４２ｂは、拡管部２ｂ，３ｂを覆うように設けられているもので、隆起部４１ａ，４１ｂの立ち上がり部分には、配管２，３の拡管部２ｂ，３ｂから移行するテーパ部２ｄ、３ｄに当接する傾斜面４３ａ，４３ｂが形成されている。また、隆起部４１ａ，４１ｂの傾斜面４３ａ，４３ｂが形成された側と反対側の面は、内周面に対してほぼ垂直に立設されており、この立設面に配管２，３に形成されたフランジ部２ｃ，３ｃが当接されるようになっている。したがって、拡管部２ｂ，３ｂとフランジ部２ｃ，３ｃとの間に隆起部４１ａ，４１ｂが係合し、分割部材４が配管２，３に対して軸方向にずれずに固定されるようになっている。
【００１６】
この分割部材４の対をなす凹溝４ａ，４ｂ間には、他方の分割部材５に対して軸方向の位置決めを可能とする突部４４が分割面から突出するように形成され、また、他方の分割部材５に設けられる下記する突部を受容する受容部４５が形成されている。さらに、凹溝４ａ，４ｂ間には、配管２，３の軸方向と異なる方向、例えば、軸方向に対して垂直となる方向（分割面に対して垂直となる方向）からネジの挿着を可能とするねじ穴４６を備えた連接部４７が設けられている。
【００１７】
この例において突部４４は、軸方向に所定の厚みを有し、両端面が平坦に形成されているもので、分割部材４の配管保持部４２ａ，４２ｂが設けられた側の端部に形成されている。また、ねじ穴４６が形成された連接部４７は、分割部材４の突部４４が設けられた側と反対側の端部近傍に形成されており、他方の分割部材５と対峙する側が分割面と同一面に形成され、反対側の面は分割部材４の表面よりも内側に凹んだ面に形成されている。また、受容部４５は、突部４４と連接部４７との間に形成された間隙によって構成されている。
【００１８】
これに対して、他方の分割部材５も、図５及び図６に示されるように、分割面に断面半円状の凹溝５ａ，５ｂを略平行に形成し、それぞれの凹溝５ａ，５ｂの略中央部に内側へ突出する隆起部５１ａ，５１ｂが周方向に連続的に形成されている。そして、この隆起部５１ａ，５１ｂを境にそれぞれの凹溝５ａ，５ｂの一方側によって各々の配管２，３の端部近傍を側方から保持する配管保持部５２ａ，５２ｂが構成され、この配管保持部５２ａ，５２ｂに続く隆起部５１ａ，５１ｂの立ち上がり部分には、配管２，３の拡管部２ｂ，３ｂから移行するテーパ部２ｄ，３ｄに当接する傾斜面５３ａ，５３ｂが形成されている。また、隆起部５１ａ，５１ｂの傾斜面５３ａ，５３ｂが形成された側と反対側の面は、内周面に対してほぼ垂直に立設されており、この立設面に配管２，３に形成されたフランジ部２ｃ，３ｃが当接されるようになっている。したがって、拡管部２ｂ，３ｂとフランジ部２ｃ，３ｃとの間に隆起部５１ａ，５１ｂが係合し、分割部材５が配管２，３に対して軸方向にずれずに固定されるようになっている。
【００１９】
この分割部材５の対をなす凹溝５ａ，５ｂ間には、前記一方の分割部材４に対して軸方向の位置決めを可能にする突部５４が分割面から突出するように形成され、また、前記分割部材４に設けられた突部４４を受容する受容部５５が形成されている。さらに、凹溝間５ａ，５ｂには、配管の軸方向と異なる方向、例えば、軸方向に対して垂直となる方向（分割面に対して垂直となる方向）からネジの挿着を可能とし、前記分割部材４のねじ穴４６と整合するように形成されたねじ穴５６を備えた連接部５７が形成されている。
【００２０】
この例において突部５４は、軸方向に所定の厚みを有し、両端面が平坦に形成されているもので、分割部材５の配管保持部５２ａ，５２ｂが設けられた側から中程にかけて形成されている。また、ねじ穴５６が形成された連接部５７は、分割部材５の突部５４が設けられた側と反対側の端部近傍に形成されており、他方の分割部材４と対峙する側が分割面と同一面に形成され、反対側の面も分割部材４の表面と同一面に形成されている。また、受容部５５は、突部５４に対して連接部５７が設けられた側と反対側に形成された凹溝５ａ，５ｂ間の間隙によって構成されている。
【００２１】
そして、一方の分割部材４の突部４４と他方の分割部材５の突部５４には、両分割部材を最中状につき合わせて組み付けた状態で軸方向に整合するねじ穴４８，５８が形成されている。
【００２２】
以上の構成において、雌側の配管２，３に配管接続用コネクタ１を取り付けるには、図７に示されるように、対をなす配管２，３の側方から、例えば、一方の分割部材５を配管２，３の拡管部２ｂ，３ｂを覆うように嵌め付け、凹溝５ａ，５ｂに形成された隆起部５１ａ，５１ｂを配管のテーパ部２ｄ，３ｄとフランジ部２ｃ，３ｃとの間に係合させる。即ち、隆起部５１ａ，５１ｂの傾斜面５３ａ，５３ｂに配管２，３のテーパ部２ｄ，３ｄを当接（配管保持部５２ａ，５２ｂの上端に配管２，３のバルジ部２ａ，２ｂに当接）させると共に、隆起部５１ａ，５１ｂの立設面に配管２，３のフランジ部２ｃ，３ｃを当接させ、配管２，３の端部近傍に分割部材５を係合させる。
【００２３】
そして、図８に示されるように、他方の分割部材４を一方の分割部材５と反対側から配管２，３を挟み込むように側方から嵌め付け、凹溝４ａ，４ｂに形成された隆起部４１ａ，４１ｂを配管のテーパ部２ｄ，３ｄとフランジ部２ｃ，３ｃとの間に係合させる。即ち、隆起部４１ａ，４１ｂの傾斜面４３ａ，４３ｂを配管２，３のテーパ部２ｄ，３ｄに当接（配管保持部の上端が配管のバルジ部に当接）させると共に、隆起部４１ａ，４１ｂの立設面に配管２，３のフランジ部２ｃ，３ｃを当接させ、配管２，３の端部近傍に分割部材４を係合させる。
【００２４】
すると、それぞれの分割部材４，５の凹溝４ａ，４ｂ，５ａ，５ｂの周縁が突き合わされ、一方の分割部材４に形成された突部４４が他方の分割部材５に形成された受容部５５に受容されると共に、他方の分割部材５に形成された突部５４が一方の分割部材４に形成された受容部４５に受容され、さらには、それぞれの連接部４７，５７が付き合わされて各々のねじ穴４６，５６が整合することとなる。そして、分割部材４の側方からネジ６０をねじ穴４６に挿入し、このネジ６０を他方の分割部材５のねじ穴５６にかけて挿着するようにすれば、双方の分割部材４，５が配管２，３の径方向に強固に結合され、分割部材４，５の組み付け状態が保持されることとなる。ここで、ねじ穴４６，５６の一方から他方にかけてネジ６０を挿着させるには、ねじ穴４６を単なる通孔としてねじ穴５６にのみ雌ねじを形成し、ネジ６０をねじ穴４６から挿入してねじ穴５６でのみ螺合させるようにしても、また、双方のねじ穴４６，５６に雌ねじを形成し、これらのねじ穴４６，５６にネジ６０を螺合させるようにしてもよい。さらには、双方のねじ穴４６，５６を単なる通孔とし、ネジ６０をこれらのねじ穴４６，５６に挿通させてナット締めするようにしてもよい。
【００２５】
以上のようにして配管接続用コネクタ１が装着された雌側の配管２，３に、雄側の配管６１，６２を接続するには、図９に示されるように、雄側の配管６１，６２の端部近傍に接続用部材６３を係止させ、この接続用部材６３に形成された通孔６４に固定用ボルト６５を通し、この固定用ボルト６５をそれぞれの分割部材４，５の突部４４，５４に形成されたねじ穴４８，５８に挿着させればよい。すると、接続用部材６３とそれぞれの分割部材４，５とは軸方向に強固に固着され、雄側の配管６１，６２と雌側の配管２，３との挿嵌状態が保持されることとなる。尚、ねじ穴４８，５８に固定用ボルト６５を挿着させる場合も、ねじ穴６４を単なる通孔としてねじ穴４８にのみ雌ねじを形成し、固定用ボルト６５をねじ穴６４から挿入してねじ穴４８でのみ螺合させるようにしても、また、双方のねじ穴６４，４８に雌ねじを形成し、これらのねじ穴６４，４８に固定用ボルト６５を螺合させるようにしてもよい。さらには、双方のねじ穴６４，４８を単なる通孔とし、固定用ボルト６５をこれらのねじ穴６４，４８に挿通させてナット締めするようにしてもよい。
【００２６】
したがって、上述の構成によれば、分割部材４，５の隆起部４１ａ，４１ｂ，５１ａ，５１ｂが配管２，３のテーパ部２ｄ，３ｄとフランジ部２ｃ，３ｃとの間に係合されるので、それぞれの配管２，３は、配管接続用コネクタ１によって軸方向の位置が規制され、また、それぞれの分割部材４，５で挟み付けられることから径方向の位置が規制されることとなる。換言すれば、配管２，３の端部近傍に分割部材が係合されるので、配管に対して配管接続用コネクタ１が位置決め固定されることとなる。
【００２７】
このため、配管２，３の端部近傍に十分な直線部分が形成されていない場合でも、狭い取り付けスペースで配管接続用コネクタ１を容易に取り付けることが可能となり、配管６１，６２との接続を容易に行うことが可能となる。また、それぞれの分割部材４，５は、ダイカストによって成形されているので、配管２，３とのろう付け作業が不要となり、また、分割部材を成形する場合に切削加工が不要となるので、コストの低減を図ることが可能となる。
【００２８】
【発明の効果】
以上述べたように、請求項１に係る発明によれば、配管の端部近傍を２つの分割部材で挟み込み、それぞれの分割部材をネジによって結合するものであるので、配管の端部近傍に直線部分を大きく確保できない場合でも配管に取り付けることが可能となり、また、狭い取り付けスペースでも容易に取り付けることが可能となる。
【００２９】
また、請求項２に係る発明によれば、分割部材同士の位置決め個所や固定個所の数を減らすことが可能となり、配管接続用コネクタの小型化を図ることが可能となる。
【００３０】
請求項３に係る発明によれば、配管を挟み込むように組み付けられた両分割部材を軸方向にも固定することが可能となり、配管の接続状態を均等にすることが可能となる。
【００３１】
請求項４に係る発明によれば、配管の端部近傍に係合される分割部材の軸方向へのずれを抑えつつ、配管接続用コネクタを配管の端部近傍に係合させることが可能となる。
【００３２】
請求項５に係る発明によれば、配管と分割部材とのろう付けを廃止することができると共に切削加工を削減することが可能となり、コストの低減を図ることが可能となる。
【図面の簡単な説明】
【図１】
図１（ａ）は、本発明にかかる配管接続用コネクタを配管に取り付けた状態を示す正面図であり、図１（ｂ）は、図１にかかる取り付け状態を側方から見た状態を示す側面図である。
【図２】
図２（ａ）は、配管が取り付けられていない配管接続用コネクタを示す正面図であり、図１（ｂ）は、配管接続用コネクタが取り付けられる配管を示す図である。
【図３】
図３は配管接続用コネクタの一方の分割部材を示すもので、図３（ａ）は正面図、（ｂ）は図３（ａ）をα方向から見た側面図、（ｃ）は図３（ａ）をβ方向から見た側面図である。
【図４】
図４は、図３に示す分割部材を示す斜視図であり、図４（ａ）は内側から見た斜視図であり、図４（ｂ）は外側から見た斜視図である。
【図５】
図５は配管接続用コネクタの他方の分割部材を示すもので、図５（ａ）は正面図、図５（ｂ）は図５（ａ）をα方向から見た側面図、図５（ｃ）は図５（ａ）をβ方向から見た側面図である。
【図６】
図６は、図５に示す分割部材を示す斜視図であり、図６（ａ）は内側から見た斜視図であり、図６（ｂ）は外側から見た斜視図である。
【図７】
図７は、図６に示す分割部材を配管に側方から取り付ける状態を示す斜視図である。
【図８】
図８は、図６に示す分割部材を配管に取り付けた状態で、図４に示す分割部材を配管に取り付ける状態を示す斜視図である。
【図９】図９は、配管の端部近傍に配管接続用コネクタを取り付けた状態を示す斜視図であり、この配管接続用コネクタを利用して相手側の配管を接続する状態を示す斜視図である。
【符号の説明】
１　配管接続用コネクタ
２，３　配管
２ａ，３ａ　バルジ部
２ｂ、３ｂ　拡管部
２ｃ、３ｃ　フランジ部
４，５　分割部材
４１ａ，４１ｂ，５１ａ，５１ｂ　隆起部
４２ａ，４２ｂ，５２ａ，５２ｂ　配管保持部
４４，５４　突部
４５，５５　受容部
４６，５６　ねじ穴
４８，５８　ねじ穴
６０　ネジ
６５　固定用ボルト
【図１】
2004138279.tif 000003
【図２】
2004138279.tif 000004
【図３】
2004138279.tif 000005
【図４】
2004138279.tif 000006
【図５】
2004138279.tif 000007
【図６】
2004138279.tif 000008
【図７】
2004138279.tif 000009
【図８】
2004138279.tif 000010
【図９】
2004138279.tif 000011